【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
少なくとも第１のアンテナに結合され、前記第１のアンテナから信号を受信するように構成された１次無線周波数集積回路（ＲＦＩＣ）と、
少なくとも２つのアンテナからアナログ信号を受信するように構成された２次ＲＦＩＣと、
を備え、
前記２次ＲＦＩＣが、さらなる処理のために前記１次ＲＦＩＣに入力されるアナログ出力を生成するために、前記少なくとも２つのアンテナのうちの少なくとも１つのアンテナから受信され選択されたアナログ信号を処理するように構成され、
前記２次ＲＦＩＣが、前記１次ＲＦＩＣよりも前記少なくとも１つのアンテナの近くに配置された、
装置。
【請求項２】
前記２次ＲＦＩＣが、それぞれ前記少なくとも２つのアンテナに結合された少なくとも２つのモジュールを備える、請求項１に記載の装置。
【請求項３】
少なくとも１つのモジュールが、前記アナログ出力を生成するために少なくとも１つのアナログ信号に対して選択された処理を行う、請求項２に記載の装置。
【請求項４】
前記選択された処理が、増幅することと、フィルタ処理することと、ダウンコンバートすることと、アップコンバートすることとのうちの少なくとも１つを備える、請求項３に記載の装置。
【請求項５】
前記選択された処理が、前記１次ＲＦＩＣによって実行される処理に関連するサブプロセスを備える、請求項３に記載の装置。
【請求項６】
各モジュールが、グローバルナビゲーション衛星システム（ＧＮＳＳ）信号と、ワイヤレスワイドエリアネットワーク（ＷＷＡＮ）通信信号と、Ｗｉ−Ｆｉ（登録商標）通信信号と、Ｂｌｕｅｔｏｏｔｈ（登録商標）通信信号とのうちの少なくとも１つを処理するように構成された、請求項２に記載の装置。
【請求項７】
前記少なくとも２つのアンテナの各々が、グローバルナビゲーション衛星システム（ＧＮＳＳ）周波数帯域と、ワイヤレスワイドエリアネットワーク（ＷＷＡＮ）通信周波数帯域と、Ｗｉ−Ｆｉ通信帯域と、Ｂｌｕｅｔｏｏｔｈ通信帯域とのうちの少なくとも１つ中で信号を受信するように構成された、請求項２に記載の装置。
【請求項８】
前記２次ＲＦＩＣが、前記１次ＲＦＩＣの受信機によって実行される処理に関連したサブプロセスを使用して前記第１のアンテナにおいて受信された前記アナログ信号を処理するように構成され、ここにおいて、前記１次ＲＦＩＣが、前記サブプロセスを使用して第２のアンテナにおいて受信されたアナログ信号を処理するように構成される、請求項１に記載の装置。
【請求項９】
第１のアンテナから第１の信号を受信するための手段と、
少なくとも２つのアンテナからアナログ信号を受信するための手段と、
を備え、
アナログ信号を受信するための前記手段が、さらなる処理のために前記第１の信号を受信するための前記手段に入力されるアナログ出力を生成するために、前記少なくとも２つのアンテナのうちの少なくとも１つのアンテナから受信され選択されたアナログ信号を処理するように構成され、
アナログ信号を受信するための前記手段が、第１の信号を受信するための前記少なくとも１つのアンテナ手段のより近くに配置された、
装置。
【請求項１０】
アナログ信号を受信するための前記手段が、それぞれ前記少なくとも２つのアンテナに結合された少なくとも２つのモジュールを備える、請求項９に記載の装置。
【請求項１１】
少なくとも１つのモジュールが、前記アナログ出力を生成するために少なくとも１つのアナログ信号に対して選択された処理を行う、請求項１０に記載の装置。
【請求項１２】
前記選択された処理が、増幅することと、フィルタ処理することと、ダウンコンバートすることと、アップコンバートすることとのうちの少なくとも１つを備える、請求項１１に記載の装置。
【請求項１３】
前記選択された処理が、前記第１の信号を受信するための前記手段によって実行される処理に関連するサブプロセスを備える、請求項１１に記載の装置。
【請求項１４】
各モジュールが、グローバルナビゲーション衛星システム（ＧＮＳＳ）信号と、ワイヤレスワイドエリアネットワーク（ＷＷＡＮ）通信信号と、Ｗｉ−Ｆｉ通信信号と、Ｂｌｕｅｔｏｏｔｈ通信信号とのうちの少なくとも１つを処理するように構成された、請求項１０に記載の装置。
【請求項１５】
前記少なくとも２つのアンテナの各々が、グローバルナビゲーション衛星システム（ＧＮＳＳ）周波数帯域と、ワイヤレスワイドエリアネットワーク（ＷＷＡＮ）通信周波数帯域と、Ｗｉ−Ｆｉ通信帯域と、Ｂｌｕｅｔｏｏｔｈ通信帯域とのうちの少なくとも１つ中で信号を受信するように構成された、請求項９に記載の装置。
【手続補正２】
【補正対象書類名】明細書
【補正対象項目名】００３８
【補正方法】変更
【補正の内容】
【００３８】
[0033]  開示した例示的な実施形態の前述の説明は、当業者が本発明を実施または使用することができるように与えたものである。これらの例示的な実施形態への様々な修正は当業者には容易に明らかであり、本明細書で定義した一般原理は、本発明の趣旨または範囲から逸脱することなく他の実施形態に適用され得る。したがって、本発明は、本明細書で示した例示的な実施形態に限定されるものではなく、本明細書で開示した原理および新規の特徴に一致する最も広い範囲を与えられるべきである。
以下に本願の出願当初の特許請求の範囲に記載された発明を付記する。
[Ｃ１]  １次無線周波数集積回路（ＲＦＩＣ）と、
少なくとも２つのアンテナからアナログ信号を受信するように構成された２次ＲＦＩＣと、前記２次ＲＦＩＣが、前記１次ＲＦＩＣに入力されるアナログ出力を生成するために、少なくとも１つのアンテナから受信され選択されるアナログ信号を処理するように構成された、を備える装置。
[Ｃ２]  前記１次ＲＦＩＣが、少なくとも１つの追加のアンテナから信号を受信するために結合された、Ｃ１に記載の装置。
[Ｃ３]  前記２次ＲＦＩＣが、それぞれ前記少なくとも２つのアンテナに結合された少なくとも２つのモジュールを備える、Ｃ１に記載の装置。
[Ｃ４]  少なくとも１つのモジュールが、前記アナログ出力を生成するために少なくとも１つのアナログ信号に対して選択された処理を行う、Ｃ３に記載の装置。
[Ｃ５]  前記選択された処理が、増幅することと、フィルタ処理することと、ダウンコンバートすることと、アップコンバートすることとのうちの少なくとも１つを備える、Ｃ４に記載の装置。
[Ｃ６]  前記選択された処理が、前記１次ＲＦＩＣによって実行される処理に関連するサブプロセスを備える、Ｃ４に記載の装置。
[Ｃ７]  各モジュールが、グローバルナビゲーション衛星システム（ＧＮＳＳ）信号と、ワイヤレスワイドエリアネットワーク（ＷＷＡＮ）通信信号と、Ｗｉ−Ｆｉ（登録商標）通信信号と、Ｂｌｕｅｔｏｏｔｈ（登録商標）通信信号とのうちの少なくとも１つを処理するように構成された、Ｃ３に記載の装置。
[Ｃ８]  前記少なくとも２つのアンテナの各々が、グローバルナビゲーション衛星システム（ＧＮＳＳ）周波数帯域と、ワイヤレスワイドエリアネットワーク（ＷＷＡＮ）通信周波数帯域と、Ｗｉ−Ｆｉ通信帯域と、Ｂｌｕｅｔｏｏｔｈ通信帯域とのうちの少なくとも１つ中で信号を受信するように構成された、Ｃ３に記載の装置。
[Ｃ９]  前記少なくとも２つのアンテナが、同じまたは異なる周波数を有する信号を受信するように構成された、Ｃ１に記載の装置。
[Ｃ１０]  前記２次ＲＦＩＣが、前記少なくとも１つのアンテナに関連するトレース損失を低減するために前記装置内に配置された、Ｃ１に記載の装置。
[Ｃ１１]  第１のアンテナから第１の信号を受信するための手段と、
少なくとも２つのアンテナからアナログ信号を受信するための手段と、アナログ信号を受信するための前記手段が、前記第１の信号を受信するための前記手段に入力されるアナログ出力を生成するために、少なくとも１つのアンテナから受信され選択されたアナログ信号を処理するように構成された、を備える装置。
[Ｃ１２]  アナログ信号を受信するための前記手段が、それぞれ前記少なくとも２つのアンテナに結合された少なくとも２つのモジュールを備える、Ｃ１１に記載の装置。
[Ｃ１３]  少なくとも１つのモジュールが、前記アナログ出力を生成するために少なくとも１つのアナログ信号に対して選択された処理を行う、Ｃ１２に記載の装置。
[Ｃ１４]  前記選択された処理が、増幅することと、フィルタ処理することと、ダウンコンバートすることと、アップコンバートすることとのうちの少なくとも１つを備える、Ｃ１３に記載の装置。
[Ｃ１５]  前記選択された処理が、前記第１の信号を受信するための前記手段によって実行される処理に関連するサブプロセスを備える、Ｃ１３に記載の装置。
[Ｃ１６]  各モジュールが、グローバルナビゲーション衛星システム（ＧＮＳＳ）信号と、ワイヤレスワイドエリアネットワーク（ＷＷＡＮ）通信信号と、Ｗｉ−Ｆｉ通信信号と、Ｂｌｕｅｔｏｏｔｈ通信信号とのうちの少なくとも１つを処理するように構成された、Ｃ１２に記載の装置。
[Ｃ１７]  前記少なくとも２つのアンテナの各々が、グローバルナビゲーション衛星システム（ＧＮＳＳ）周波数帯域と、ワイヤレスワイドエリアネットワーク（ＷＷＡＮ）通信周波数帯域と、Ｗｉ−Ｆｉ通信帯域と、Ｂｌｕｅｔｏｏｔｈ通信帯域とのうちの少なくとも１つ中で信号を受信するように構成された、Ｃ１１に記載の装置。
[Ｃ１８]  前記少なくとも２つのアンテナが、同じまたは異なる周波数を有する信号を受信するように構成された、Ｃ１１に記載の装置。
[Ｃ１９]  アナログ信号を受信するための前記手段が、前記アンテナの前記少なくとも１つに関連するトレース損失を低減するために前記装置内に配置された、Ｃ１１に記載の装置。